(57)【特許請求の範囲】
【請求項１】
被験者の胴部の背中側の部分である背部の表面に接触させるための背部用電極、および被験者の上肢の表面に接触させるための上肢用電極を含む複数の電極と、
前記複数の電極を用いて被験者の身体の生体インピーダンスを測定する生体インピーダンス測定部と、
前記生体インピーダンス測定部にて測定された前記生体インピーダンスに基づいて体脂肪量を算出する体組成情報算出部と、
被験者の胴部周りに締結されることによって、被験者の背部の表面に前記背部用電極を押圧した状態で接触させるための装着用ベルトと、
被験者の手で把持可能な把持部を含み、前記把持部に前記上肢用電極が設けられた上肢用ユニットと、を備え、
前記上肢用ユニットは前記装着用ベルトに対して、取り付けられることおよび取り外されることが可能となっている、
体脂肪測定装置。
【請求項２】
前記装着用ベルトは、第１係合部材を有し、
前記上肢用ユニットは、前記第１係合部材に対して係合可能な第２係合部材を有し、
前記第１係合部材が前記第２係合部材に対して係合状態となることによって、前記上肢用ユニットは前記装着用ベルトに取り付けられ、
前記係合状態が解除されることによって、前記上肢用ユニットは前記装着用ベルトから取り外される、
請求項１に記載の体脂肪測定装置。
【請求項３】
前記第１係合部材は、前記装着用ベルトに取り付けられることによって開口部を形成しており、
前記第２係合部材は、前記開口部に挿入可能なように所定の長さを有しており、
前記第２係合部材が前記開口部に挿入されることによって、前記上肢用ユニットは前記装着用ベルトに取り付けられ、
前記第２係合部材が前記開口部から引き抜かれることによって、前記上肢用ユニットは前記装着用ベルトから取り外される、
請求項２に記載の体脂肪測定装置。
【請求項４】
前記第１係合部材の前記装着用ベルトに対する取り付け位置は、前記装着用ベルトの長手方向に沿って移動可能となっている、
請求項２または３に記載の体脂肪測定装置。
【請求項５】
前記上肢用ユニットは、前記体組成情報算出部によって算出された前記体脂肪量を含む体組成情報を表示可能な表示部を有している、
請求項１から４のいずれかに記載の体脂肪測定装置。
【請求項６】
前記上肢用ユニットは、被験者からの指令を受け付けるための操作部を有している、
請求項１から５のいずれかに記載の体脂肪測定装置。
【請求項７】
前記複数の電極は、被験者の下肢の表面に接触させるための下肢用電極をさらに含み、
被験者が乗ることで前記下肢用電極を被験者の足の裏に接触させるための下肢用ユニットをさらに備える、
請求項１から６のいずれかに記載の体脂肪測定装置。
【請求項８】
前記上肢用ユニットおよび前記装着用ベルトが相互に電気的に有線接続されており、
前記上肢用ユニットおよび前記装着用ベルトのいずれか一方が前記下肢用ユニットに電気的に有線接続されている、
請求項７に記載の体脂肪測定装置。
【請求項９】
前記上肢用ユニット、前記装着用ベルト、および前記下肢用ユニットを接続している接続ケーブルは、前記上肢用ユニット、前記装着用ベルト、および前記下肢用ユニットに対する接続が着脱可能となっている、
請求項７または８に記載の体脂肪測定装置。
【請求項１０】
前記下肢用ユニットは、被験者の体重を測定する体重測定部を含んでいる、
請求項７から９のいずれかに記載の体脂肪測定装置。
【発明の詳細な説明】
【技術分野】
【０００１】
本発明は、生体インピーダンスを測定することによって被験者の体脂肪量を算出することが可能に構成された体脂肪測定装置に関し、より特定的には、家庭等においても容易に内臓脂肪量および／または皮下脂肪量を測定することが可能に構成された体脂肪測定装置に関する。
【背景技術】
【０００２】
体脂肪量は、被験者の健康状態を判断するための指標の一つとして知られている。特に内臓脂肪量は、内臓脂肪型肥満であるか否かを判断するための指標の一つとして知られている。内臓脂肪型肥満は、糖尿病、高血圧症、高脂血症といった動脈硬化を引き起こし易い生活習慣病を誘発すると言われている。これら疾病の予防の観点から、上記指標の活用が期待されている。
【０００３】
内臓脂肪とは内臓の周囲に蓄積した脂肪のことであり、腹筋および背筋の内側に位置している。内臓脂肪と胴部の表層に位置する皮下脂肪とは区別されている。内臓脂肪量を示す指標としては、臍位置に対応する部分の胴部断面において内臓脂肪が占める面積（以下、内臓脂肪断面積と称する）を採用することが一般的である。
【０００４】
通常、内臓脂肪量を測定するためには、Ｘ線ＣＴ（Computed Tomography）またはＭＲＩ（Magnetic Resonance Imaging）等を用いた画像解析法が利用されている。この画像解析法においては、Ｘ線ＣＴ等によって胴部の断層画像を取得し、この断面画像から内臓脂肪断面積が幾何学的に算出されている。
【０００５】
Ｘ線ＣＴ等のほとんどは医療施設内に設置されており、当該画像解析法を用いて日常的に内臓脂肪量を測定することは困難である。Ｘ線ＣＴ等は放射線を利用して断層画像を取得するため、Ｘ線ＣＴ等を利用して日常的に内臓脂肪量を測定することは好ましくない。
【０００６】
Ｘ線ＣＴ等を用いた画像解析法に代わる体脂肪量の測定方法として、生体インピーダンス法を応用することが検討されている。生体インピーダンス法においては、四肢に電極が接触配置され、これらの電極を用いて生体インピーダンスが測定される。生体インピーダンスに基づき体脂肪量が算出される。
【０００７】
生体インピーダンス法を利用した体脂肪測定装置は、全身または四肢、胴部といった身体の部位別の体脂肪の蓄積度合いを正確に測定することができる。しかしながら、生体インピーダンス法を利用した従来の体脂肪測定装置は、上述のとおり四肢のみに電極が取付けられる。生体インピーダンス法を利用した従来の体脂肪測定装置は、内臓脂肪の蓄積度合いや皮下脂肪の蓄積度合いを個別に抽出して正確に測定することはできない。
【０００８】
ここで、特開２００２−３６９８０６号公報（特許文献１）には、体脂肪測定装置に関する技術が開示されている。当該体脂肪測定装置においては、ベルト部材の内周面上に電極が設けられている。当該ベルト部材は被験者の胴部に巻き付けて固定され、電極が胴部に対して接触配置されている。
【０００９】
また、特開２００７−１４６６４号公報（特許文献２）にも、体脂肪測定装置に関する技術が開示されている。当該体脂肪測定装置においては、被験者の腹部に装着する装着ユニットと、被験者が乗るための下肢用ユニットとが分離して構成されている。上記装着ユニットには腹部用電極および把手部が設けられ、把手部には手用電極が設けられている。下肢用ユニットには足用電極が設けられている。把手部が被験者の手で把持されることで、手用電極が被験者の掌に接触配置される。被験者が当該把手を把持した手で装着ユニットを被験者の腹部に押し当てることで、腹部用電極が腹部に対して接触配置される。上記下肢用ユニットに被験者が乗ることで、足用電極が足の裏に接触配置される。
【先行技術文献】
【特許文献】
【００１０】
【特許文献１】特開２００２−３６９８０６号公報
【特許文献２】特開２００７−１４６６４号公報
【発明の概要】
【発明が解決しようとする課題】
【００１１】
生体インピーダンス法を応用して家庭等においても容易にかつ高精度に内臓脂肪量および皮下脂肪量を算出することが可能に構成された体脂肪測定装置を実現するためには、簡単な操作で簡便に測定が行なえるようにすることと、補助者等の協力を得なくとも被験者自らが１人で測定が行なえるようにすることとの２点を充足させることが重要となる。
【００１２】
しかしながら、より高精度に内臓脂肪量および皮下脂肪量を算出するためには、腹部に電極を接触配置させるのではなく背中に電極を接触配置させるとともに、手および足に電極を接触配置させることが必要である。これは、腹部側に蓄積する皮下脂肪の厚みが、背部側に蓄積する皮下脂肪の厚みに比べて相対的に薄いため、腹部に電極を接触配置させた場合には、印加した電流が除脂肪部分を流れるために誤差が生じ易くなってしまうことがその要因の一つとして挙げられる。
【００１３】
しかしながら、上記特許文献１に開示の体脂肪測定装置にあっては、手および足に電極を接触配置させることは考慮されておらず、また上記特許文献２に開示の体脂肪測定装置にあっては、背中に電極を接触配置させることが何ら考慮されていない。そのため、家庭等においても容易にかつ高精度に内臓脂肪量および皮下脂肪量を算出できる体脂肪測定装置とするためには、何らかの改善が必要である。
【００１４】
したがって本発明は、上述した問題点を解消すべくなされたものであり、家庭等においても容易にかつ高精度に内臓脂肪量等の体脂肪量を測定することができる体脂肪測定装置を提供することを目的とする。
【課題を解決するための手段】
【００１５】
本発明の第１の局面に基づく体脂肪測定装置は、被験者の胴部の背中側の部分である背部の表面に接触させるための背部用電極、および被験者の上肢の表面に接触させるための上肢用電極を含む複数の電極と、上記複数の電極を用いて被験者の身体の生体インピーダンスを測定する生体インピーダンス測定部と、上記生体インピーダンス測定部にて測定された上記生体インピーダンスに基づいて体脂肪量を算出する体組成情報算出部と、被験者の胴部周りに締結されることによって、被験者の背部の表面に上記背部用電極を押圧した状態で接触させるための装着用ベルトと、被験者の手で把持可能な把持部を含み、上記把持部に上記上肢用電極が設けられた上肢用ユニットと、を備え、上記上肢用ユニットは上記装着用ベルトに対して、取り付けられることおよび取り外されることが可能となっている。
【００１６】
本発明の第２の局面に基づく体脂肪測定装置は、上記第１の局面に基づく体脂肪測定装置において、上記装着用ベルトは、第１係合部材を有し、上記上肢用ユニットは、上記第１係合部材に対して係合可能な第２係合部材を有し、上記第１係合部材が上記第２係合部材に対して係合状態となることによって、上記上肢用ユニットは上記装着用ベルトに取り付けられ、上記係合状態が解除されることによって、上記上肢用ユニットは上記装着用ベルトから取り外される。
【００１７】
本発明の第３の局面に基づく体脂肪測定装置は、上記第２の局面に基づく体脂肪測定装置において、上記第１係合部材は、上記装着用ベルトに取り付けられることによって開口部を形成しており、上記第２係合部材は、上記開口部に挿入可能なように所定の長さを有しており、上記第２係合部材が上記開口部に挿入されることによって、上記上肢用ユニットは上記装着用ベルトに取り付けられ、上記第２係合部材が上記開口部から引き抜かれることによって、上記上肢用ユニットは上記装着用ベルトから取り外される。
【００１８】
本発明の第４の局面に基づく体脂肪測定装置は、上記第２または上記第３の局面に基づく体脂肪測定装置において、上記第１係合部材の上記装着用ベルトに対する取り付け位置は、上記装着用ベルトの長手方向に沿って移動可能となっている。
【００１９】
本発明の第５の局面に基づく体脂肪測定装置は、上記第１から上記第４のいずれかの局面に基づく体脂肪測定装置において、上記上肢用ユニットは、上記体組成情報算出部によって算出された上記体脂肪量を含む体組成情報を表示可能な表示部を有している。
【００２０】
本発明の第６の局面に基づく体脂肪測定装置は、上記第１から上記第５のいずれかの局面に基づく体脂肪測定装置において、上記上肢用ユニットは、被験者からの指令を受け付けるための操作部を有している。
【００２１】
本発明の第７の局面に基づく体脂肪測定装置は、上記第１から上記第６のいずれかの局面に基づく体脂肪測定装置において、上記複数の電極は、被験者の下肢の表面に接触させるための下肢用電極をさらに含み、被験者が乗ることで上記下肢用電極を被験者の足の裏に接触させるための下肢用ユニットをさらに備える。
【００２２】
本発明の第８の局面に基づく体脂肪測定装置は、上記第７の局面に基づく体脂肪測定装置において、上記上肢用ユニットおよび上記装着用ベルトが相互に電気的に有線接続されており、上記上肢用ユニットおよび上記装着用ベルトのいずれか一方が上記下肢用ユニットに電気的に有線接続されている。
【００２３】
本発明の第９の局面に基づく体脂肪測定装置は、上記第７または上記第８の局面に基づく体脂肪測定装置において、上記上肢用ユニット、上記装着用ベルト、および上記下肢用ユニットを接続している接続ケーブルは、上記上肢用ユニット、上記装着用ベルト、および上記下肢用ユニットに対する接続が着脱可能となっている。
【００２４】
本発明の第１０の局面に基づく体脂肪測定装置は、上記第７から上記第９のいずれかの局面に基づく体脂肪測定装置において、上記下肢用ユニットは、被験者の体重を測定する体重測定部を含んでいる。
【発明の効果】
【００２５】
本発明によれば、家庭等においても容易にかつ高精度に内臓脂肪量等の体脂肪量を測定することができる体脂肪測定装置を得ることができる。
【図面の簡単な説明】
【００２６】
【図１】（Ａ）は、実施の形態１における体脂肪測定装置の測定原理を示し、胴部全体の生体インピーダンスを得る場合の電極配置を示した図である。（Ｂ）は、実施の形態１における体脂肪測定装置の測定原理を示し、胴部のうちの背部側の表層部分の生体インピーダンスを得る場合の電極配置を示した図である。
【図２】実施の形態１における体脂肪測定装置の機能ブロックの構成を示す図である。
【図３】実施の形態１における体脂肪測定装置を示す斜視図である。
【図４】（Ａ）は、実施の形態１における上肢用ユニットの背面側を示す斜視図である。（Ｂ）は、実施の形態１における他の例に係る上肢用ユニットの背面側を示す斜視図である。（Ｃ）は、実施の形態１におけるさらに他の例に係る上肢用ユニットを示す側面図である。
【図５】実施の形態１における体脂肪測定装置の装着用ベルトが被験者に装着される前の様子を示す図である。
【図６】実施の形態１における体脂肪測定装置の装着用ベルトが被験者に装着された後の様子を示す図である。
【図７】実施の形態１における体脂肪測定装置の制御部の処理を示すフロー図である。
【図８】実施の形態１の第１変形例における装着用ベルトおよび上肢用ユニットを示す斜視図である。
【図９】実施の形態１の第２変形例における装着用ベルトおよび上肢用ユニットを示す斜視図である。
【図１０】実施の形態１の第３変形例における装着用ベルトおよび上肢用ユニットを示す斜視図である。
【図１１】実施の形態２における体脂肪測定装置を示す斜視図である。
【図１２】実施の形態２の第１変形例における体脂肪測定装置を示す斜視図である。
【図１３】実施の形態２の第２変形例における体脂肪測定装置を示す斜視図である。
【図１４】実施の形態３における体脂肪測定装置を示す斜視図である。
【図１５】実施の形態４における体脂肪測定装置の測定原理を説明するための図である。
【図１６】実施の形態４における体脂肪測定装置の機能ブロックの構成を示す図である。
【図１７】実施の形態４における体脂肪測定装置を示す斜視図である。
【発明を実施するための形態】
【００２７】
本発明に基づいた各実施の形態における体脂肪測定装置について、以下、図面を参照しながら説明する。各実施の形態の説明において、個数、量などに言及する場合、特に記載がある場合を除き、本発明の範囲は必ずしもその個数、量などに限定されない。各実施の形態の説明において、同一の部品、相当部品に対しては、同一の参照番号を付し、重複する説明は繰り返さない場合がある。
【００２８】
本発明の各実施の形態について説明するに先立ち、身体の部位を表わす用語の定義を行なう。「胴部」は、身体の頭部、頸部および四肢を除く部位であり、いわゆる体幹に相当する。「背部」は、上記胴部のうちの背中側に位置する部分を意味し、上記胴部のうちの腹部側の部分および胸部側の部分を除く部分に相当する。「背部表面」は、上記背部の体表面全体を意味しており、被験者を背中側から観察した場合に視認可能な部分の胴部表面の全体を言う。また、「体軸」は、胴部の延在方向に沿って位置する軸、すなわち被験者の胴部の横断面に対して略垂直な方向に延びる軸を言う。
【００２９】
［実施の形態１］
（体脂肪測定装置１Ａの測定原理）
図１（Ａ）および図１（Ｂ）を参照して、本実施の形態における体脂肪測定装置１Ａ（図３参照）の測定原理について説明する。図１（Ａ）は、胴部全体の生体インピーダンスを得る場合の電極配置を示した図である。図１（Ｂ）は、胴部のうちの背部側の表層部分の生体インピーダンスを得る場合の電極配置を示した図である。図１（Ａ）および図１（Ｂ）においては、被験者をいずれも背中側から見た様子を示している。
【００３０】
図１（Ａ）に示すように、被験者の左手の表面および右手の表面にそれぞれ電極ＥＩａA1，ＥＩａA2が取付けられる。被験者の左足の表面および右足の表面にもそれぞれ電極ＥＩｂA1，ＥＩｂA2が取付けられる。被験者の背部表面には、体軸方向に沿って並ぶように配置された一対の電極が、胴部の横幅方向に沿って４組取付けられる。被験者の背部表面には、電極ＥＶａA1，ＥＶｂA1，ＥＶａA2，ＥＶｂA2，ＥＶａA3，ＥＶｂA3，ＥＶａA4，ＥＶｂA4の合計８個の電極が取付けられる。
【００３１】
電極ＥＩａA1，ＥＩａA2，ＥＩｂA1，ＥＩｂA2を用いて、胴部を通る定電流ＩAが被験者に印加される。電極ＥＶａA1，ＥＶｂA1を用いて電位差ＶA1が検出され、電極ＥＶａA2，ＥＶｂA2を用いて電位差ＶA2が検出され、電極ＥＶａA3，ＥＶｂA3を用いて電位差ＶA3が検出され、電極ＥＶａA4，ＥＶｂA4を用いて電位差ＶA4が検出される。
【００３２】
電位差ＶA1，ＶA2，ＶA3，ＶA4から、胴部全体の生体インピーダンスＺｔが算出される。電位差ＶA1，ＶA2，ＶA3，ＶA4の平均値に基づき生体インピーダンスＺｔが算出されるとよい。胴部の内部における脂肪分布のばらつきの影響が低減可能となる。
【００３３】
胴部から離れた位置にある両手および両足間において定電流ＩAが流されている。定電流ＩAは、その殆どが電気抵抗の低い部分（脂肪以外の部分）を通る。定電流ＩAを用いて測定された電位差ＶA1，ＶA2，ＶA3，ＶA4から算出される上記生体インピーダンスＺｔは、胴部内部における除脂肪（内臓、筋肉および骨格）の量の影響を受ける。したがって、上記生体インピーダンスＺｔに基づいて臍位置に対応する部分の胴部断面において除脂肪が占める面積（以下、除脂肪断面積と称する）Ｓａが推定できることになる。
【００３４】
一方で図１（Ｂ）に示すように、被験者の背部表面に、体軸方向に沿って並ぶように配置された一対の電極が、胴部の横幅方向に沿って４組取付けられる。被験者の背部表面には、電極ＥＩａB1，ＥＩｂB1，ＥＶａB1，ＥＶｂB1，ＥＩａB2，ＥＩｂB2，ＥＶａB2，ＥＶｂB2の合計８個の電極が取付けられる。
【００３５】
電極ＥＩａB1，ＥＩｂB1を用いて、背部を局所的に通る定電流ＩB1が被験者に印加され、電極ＥＩａB2，ＥＩｂB2を用いて、背部を局所的に通る定電流ＩB2が被験者に印加される。定電流ＩB1，ＩB2の電流値は、同じ値とされる。定電流ＩB1，ＩB2が印加された状態において、電極ＥＶａB1，ＥＶｂB1を用いて電位差ＶB1が検出され、電極ＥＶａB2，ＥＶｂB2を用いて電位差ＶB2が検出される。
【００３６】
電位差ＶB1，ＶB2から、胴部のうちの背部側の表層部分の生体インピーダンスＺｓが算出される。電位差ＶB1，ＶB2の平均値に基づき生体インピーダンスＺｓが算出されるとよい。胴部の背部の表層部分における脂肪分布のばらつき等の影響が低減可能となる。電流が印加されていた電極を電位差を検出するための電極とし、かつ電位差を検出していた電極を電流を印加するための電極とするように回路を切り替えることにより、４箇所で電位差を測定することも可能になる。このようにすることにより、皮下脂肪のばらつき等の影響をより一層低減させることができる。
【００３７】
ここで、上記状態においては、胴部の背部において局所的に定電流ＩB1，ＩB2が印加されている。定電流ＩB1，ＩB2は、いずれもその殆どが背部の表層部分を通る。このような定電流ＩB1，ＩB2を用いて測定された電位差ＶB1，ＶB2から算出される上記生体インピーダンスＺｓは、皮下脂肪量の影響を受けるところが大きくなる。したがって、上記生体インピーダンスＺｓに基づいて胴部の臍位置を含む断面における皮下脂肪断面積（以下、皮下脂肪断面積と称する）Ｓｂが推定できることになる。
【００３８】
次に、生体インピーダンスＺｔおよびＺｓを用いて内臓脂肪量を算出する演算処理の一例について説明する。
【００３９】
臍位置に対応する部分の胴部断面の全体の面積（以下、胴部断面積と称する）をＳｔとすれば、内臓脂肪断面積Ｓｘは、胴部断面積Ｓｔと、除脂肪断面積Ｓａおよび皮下脂肪断面積Ｓｂとを用いて、以下の式（１）より算出することができる。
【００４０】
Ｓｘ＝Ｓｔ−Ｓａ−Ｓｂ      ・・・式（１）
胴部断面積Ｓｔは、胴部周囲長（いわゆるウエスト長）や、胴部の横幅および縦幅を用いて算出することが可能である。たとえば、胴部周囲長から胴部断面積Ｓｔを算出する場合には、胴部周囲長をｔとすれば、胴部断面積Ｓｔは、以下の式（２）で近似できる。
【００４１】
Ｓｔ＝ｔ２／（４×π）      ・・・式（２）
上記式（２）で近似される胴部断面積Ｓｔは、誤差が多く含まれている可能性が高い。誤差を低減するための係数αをこれに乗ずることによって、より正確な胴部断面積Ｓｔを求めることが好ましい。係数αとしては、たとえば多数のＸ線ＣＴによる画像サンプルに基づいて、当該画像サンプルから得られる胴部断面積Ｓｔ′と、上記ｔとの関係から、Ｓｔ′＝α×ｔ２／（４×π）を充足するαの最適値を求めることで得られる。
【００４２】
したがって、上記式（２）は、係数αを用いることで、以下の式（３）によってより誤差を低減した状態で近似できることになる。
【００４３】
Ｓｔ＝α×ｔ２／（４×π）      ・・・式（３）
上記補正のために乗ずる係数αに関しては、被験者の性別、年齢、身長、体重等の情報（以下、これらを総称して被験者情報と称する）に応じて適宜最適化することが好ましい。当該被験者情報に応じて上記係数αの値を変更することにより、より高精度に胴部断面積Ｓｔが近似できることになる。
【００４４】
除脂肪断面積Ｓａは、胴部全体の生体インピーダンスＺｔに基づいて算出することができる。ただし、この胴部全体の生体インピーダンスＺｔのみでは、除脂肪断面積Ｓａを正確に算出することはできない。除脂肪断面積Ｓａは、胴部の大きさに比例する傾向があり、除脂肪断面積Ｓａを算出するためには、生体インピーダンスＺｔから得られる値をさらに換算することが必要である。したがって、除脂肪断面積Ｓａは、たとえば以下の式（４）で表わされることになる。
【００４５】
Ｓａ＝β×ｔ×（１／Ｚｔ）      ・・・式（４）
上記ｔは、上述のとおり胴部周囲長の値であり、胴部の大きさに関係する値である。この胴部の大きさに関係する値としては、上記ｔに限られず、たとえば胴部断面積Ｓｔを使用してもよいし、胴部の横幅または縦幅を使用してもよい。
【００４６】
上記βは、胴部全体の生体インピーダンスＺｔを除脂肪断面積Ｓａに換算するための係数であり、上記係数αを求めた場合と同様に、たとえば多数のＸ線ＣＴによる画像サンプルに基づいて最適値を求めることができる。多数のＸ線ＣＴによる画像サンプルから得られる除脂肪断面積Ｓａ′と、当該Ｘ線ＣＴの撮影対象となった被験者の胴部全体の生体インピーダンスＺｔと、上記ｔとの関係から、Ｓａ′＝β×ｔ×（１／Ｚｔ）を充足するβの最適値を求めることで得られる。
【００４７】
上述した係数βは、上記係数αの場合と同様に、被験者情報に応じて適宜最適化されることが好ましい。当該被験者情報に応じて上記係数βの値を変更することにより、より高精度に除脂肪断面積Ｓａを近似できることになる。
【００４８】
皮下脂肪断面積Ｓｂは、胴部のうちの背部側の表層部分の生体インピーダンスＺｓに基づいて算出することができる。ただし、この胴部のうちの背部側の表層部分の生体インピーダンスＺｓのみでは、皮下脂肪断面積Ｓｂを正確に算出することはできない。皮下脂肪断面積Ｓｂは、胴部の大きさに比例する傾向があり、皮下脂肪断面積Ｓｂを算出するためには、生体インピーダンスＺｓから得られる値をさらに換算することが必要である。したがって、皮下脂肪断面積Ｓｂは、たとえば以下の式（５）で表わされることになる。
【００４９】
Ｓｂ＝γ×ｔ×Ｚｓ      ・・・式（５）
上記ｔは、上述のとおり胴部周囲長の値であり、胴部の大きさに関係する値である。この胴部の大きさに関係する値としては、上記ｔに限られず、たとえば胴部断面積Ｓｔを使用してもよいし、胴部の横幅または縦幅を使用してもよい。
【００５０】
上記γは、胴部のうちの背部側の表層部分の生体インピーダンスＺｓを皮下脂肪断面積Ｓｂに換算するための係数であり、上記係数αまたは係数βを求めた場合と同様に、たとえば多数のＸ線ＣＴによる画像サンプルに基づいて最適値を求めることができる。多数のＸ線ＣＴによる画像サンプルから得られる皮下脂肪断面積Ｓｂ′と、当該Ｘ線ＣＴの撮影対象となった被験者の胴部のうちの背部側の表層部分の生体インピーダンスＺｓと、上記ｔとの関係から、Ｓｂ′＝γ×ｔ×Ｚｓを充足するγの最適値を求めることで得られる。
【００５１】
上述した係数γは、上記係数αおよび係数βの場合と同様に、被験者情報に応じて適宜最適化されることが好ましい。当該被験者情報に応じて上記係数γの値を変更することにより、より高精度に皮下脂肪断面積Ｓｂを近似できることになる。
【００５２】
以上のように、本実施の形態における体脂肪測定装置においては、胴部断面積Ｓｔと、胴部全体の生体インピーダンスＺｔに基づいて算出される除脂肪断面積Ｓａと、胴部のうちの背部側の表層部分の生体インピーダンスＺｓに基づいて算出される皮下脂肪断面積Ｓｂとから、上記式（１）に基づいて内臓脂肪断面積Ｓｘが算出される。上記式（１）に上記式（３）ないし上記式（５）を代入した以下の式（６）に基づいて、内臓脂肪断面積Ｓｘが算出される。
【００５３】
Ｓｘ＝α×ｔ２／（４×π）−β×ｔ×（１／Ｚｔ）−γ×ｔ×Ｚｓ  ・・・式（６）
（体脂肪測定装置１Ａの機能ブロック）
図２は、本実施の形態における体脂肪測定装置１Ａの機能ブロックの構成を示す図である。図２を参照して、体脂肪測定装置１Ａは、制御部１０、定電流生成部２１、端子切替部２２、電位差検出部２３、胴部情報検出部２４、被験者情報入力部２５、表示部２６、操作部２７、電源部２８、メモリ部２９、および、被験者の身体に装着される複数の電極ＨＲ，ＨＬ，ＢＵ１〜ＢＵ４，ＢＬ１〜ＢＬ４，ＦＲ，ＦＬとを主として備えている。
【００５４】
制御部１０は、演算処理部１１を含んでいる。演算処理部１１は、生体インピーダンス測定部１２、体形情報測定部１３、および体組成情報算出部１４を含んでいる。制御部１０は、たとえばＣＰＵ（Central Processor Unit）から構成され、体脂肪測定装置１Ａの全体を制御する。制御部１０は、上述した各機能ブロックに対して指令を出力したり、各機能ブロックから各種情報の入力を受け付けたり、各種情報に基づいて各種演算処理を行なったりする。各種演算処理については、演算処理部１１によって行なわれる。
【００５５】
上述した複数の電極は、被験者の上肢の表面に接触配置される上肢用電極としての手用電極ＨＲ，ＨＬと、被験者の背部表面に接触配置される背部用電極ＢＵ１〜ＢＵ４，ＢＬ１〜ＢＬ４と、被験者の下肢の表面に接触配置される下肢用電極としての足用電極ＦＲ，ＦＬとを含んでいる。
【００５６】
手用電極ＨＲ，ＨＬは被験者の掌に接触配置され、足用電極ＦＲ，ＦＬは被験者の足の裏に接触配置される。背部用電極ＢＵ１〜ＢＵ４，ＢＬ１〜ＢＬ４は、図１（Ａ）および図１（Ｂ）に示したように、被験者の背部表面に整列した状態で接触配置される。手用電極ＨＲ，ＨＬ、背部用電極ＢＵ１〜ＢＵ４，ＢＬ１〜ＢＬ４、および足用電極ＦＲ，ＦＬは、いずれも上述した端子切替部２２に電気的に接続されている。
【００５７】
端子切替部２２は、たとえばリレー回路から構成され、制御部１０から入力される指令に基づき、上述した複数の電極のうちから選択された特定の電極と定電流生成部２１とを電気的に接続するとともに、上述した複数の電極のうちから選択された特定の電極と電位差検出部２３とを電気的に接続する。端子切替部２２によって定電流生成部２１に電気的に接続された電極が定電流印加電極として機能し、また端子切替部２２によって電位差検出部２３に電気的に接続された電極が電位差検出電極して機能する。
【００５８】
端子切替部２２が制御部１０から入力される指令に基づいて動作することにより、上述した複数の電極ＨＲ，ＨＬ，ＢＵ１〜ＢＵ４，ＢＬ１〜ＢＬ４，ＦＲ，ＦＬのそれぞれが、図１（Ａ）に示した各電極ＥＩａA1，ＥＩａA2，ＥＩｂA1，ＥＩｂA2，ＥＶａA1，ＥＶｂA1，ＥＶａA2，ＥＶｂA2，ＥＶａA3，ＥＶｂA3，ＥＶａA4，ＥＶｂA4、および図１（Ｂ）に示した電極ＥＩａB1，ＥＩｂB1，ＥＶａB1，ＥＶｂB1，ＥＩａB2，ＥＩｂB2，ＥＶａB2，ＥＶｂB2としてそれぞれ機能する。
【００５９】
定電流生成部２１は、制御部１０から入力される指令に基づいて定電流を生成する。定電流は、端子切替部２２を通して上述の定電流印加電極に供給される。定電流としては、体組成情報を測定するために好適に使用される高周波電流（たとえば、５０ｋＨｚ，５００μＡ）が選択される。定電流は、定電流印加電極を通して被験者に印加される。
【００６０】
電位差検出部２３は、端子切替部２２によって電位差検出部２３に電気的に接続された電極（すなわち電位差検出電極）間における電位差を検出する。検出した電位差は、制御部１０に対して出力される。定電流が被験者に印加された状態において、電位差検出電極間の電位差が検出される。
【００６１】
胴部情報検出部２４は、たとえば電子式巻尺等にて構成され、被験者の胴部の周囲長を測定する。胴部情報検出部２４は、検出値に応じた信号を体形情報測定部１３に対して出力する。
【００６２】
被験者情報入力部２５は、たとえば被験者が押下可能なキー等によって構成され、演算処理部１１で行なわれる演算処理に利用される被験者情報を得る。被験者情報入力部２５は、被験者情報の入力を受け付けた後、被験者情報を制御部１０に対して出力する。
【００６３】
被験者情報入力部２５は、本発明に照らした場合には必ずしも必須の構成ではない。被験者情報入力部２５は、演算処理部１１で行なう演算処理において当該被験者情報を利用することが必要であるか否かに応じてその有無が決定される。胴部情報検出部２４を設けて胴部周囲長を実測することとせず、代わりに当該被験者情報入力部２５によって胴部の周囲長、縦幅または横幅等が入力され、これを利用して演算処理部で演算が行なわれるように構成することも可能である。
【００６４】
演算処理部１１は、生体インピーダンス測定部１２、体形情報測定部１３、および体組成情報算出部１４を含んでいる。体組成情報算出部１４は、内臓脂肪量算出部１４ａ、および皮下脂肪量算出部１４ｂとを含んでいる。生体インピーダンス測定部１２は、電位差検出部２３から入力された信号に基づいて生体インピーダンスを算出し、これを体組成情報算出部１４に出力する。体形情報測定部１３は、胴部情報検出部２４から入力された信号に基づいて被験者の胴部の周囲長を算出し、これを体組成情報算出部１４に出力する。
【００６５】
体組成情報算出部１４は、生体インピーダンス測定部１２から入力された生体インピーダンスと、体形情報測定部１３から入力された胴部の周囲長と、場合によってはさらにこれに加えて被験者情報入力部２５から入力された被験者情報とに基づいて、体組成情報を算出して取得する。内臓脂肪量算出部１４ａにおいて内臓脂肪量が算出され、皮下脂肪量算出部１４ｂにおいて皮下脂肪量が算出される。
【００６６】
表示部２６は、たとえばＬＣＤ（Liquid Crystal Display）等によって構成され、体組成情報算出部１４において算出された体組成情報を表示する。内臓脂肪量算出部１４ａにおいて算出された内臓脂肪量、および皮下脂肪量算出部１４ｂにおいて算出された皮下脂肪量が、制御部１０から出力される信号に基づいて表示部２６にてそれぞれ表示される。体脂肪測定装置１Ａにおいては、内臓脂肪量がたとえば内臓脂肪断面積で表示され、皮下脂肪量がたとえば皮下脂肪断面積で表示される。
【００６７】
操作部２７は、たとえば被験者が押下可能なボタン等によって構成され、体脂肪測定装置１Ａに対して被験者からの命令が入力される。操作部２７には、たとえば電源ボタンや測定ボタン等の各種操作ボタンを含んでいる。電源部２８は、バッテリ等の内部電源や商用電源等の外部電源等であり、制御部１０に電力を供給する。
【００６８】
メモリ部２９は、たとえばＲＡＭ（Random Access Memory）やＲＯＭ（Read Only Memory）等によって構成され、体脂肪測定装置１Ａに関する各種のデータやプログラム等を記憶する。メモリ部２９は、たとえば被験者情報や算出された体組成情報や、図７を参照して後述する体組成情報の測定処理を実行するための体組成情報測定プログラム等を記憶している。
【００６９】
（体脂肪測定装置１Ａの構造）
図３は、本実施の形態における体脂肪測定装置１Ａを示す斜視図である。体脂肪測定装置１Ａは、装着用ベルト１００Ａと、上肢用ユニット３００Ａと、下肢用ユニット２００とを備えている。
【００７０】
装着用ベルト１００Ａは、帯状のベルト部１４０と、相互に嵌合可能なバックル部１５１，１５２と、ベルト部１４０の後部に取付けられた湾曲板状の電極支持体１２０とを有している。ベルト部１４０は、被験者の胴部を取り囲むことが可能となっている。ベルト部１４０には、長手方向に沿って胴部情報検出部としての電子式巻尺（図示せず）等が内蔵されているとよい。
【００７１】
ベルト部１４０の外側表面には、第１係合部材としての帯状部材１４２が縫合されており、当該縫合によって開口部１４１が形成されている。帯状部材１４２はベルト部１４０の長手方向に対して任意の位置に取り付けられていればよい。
【００７２】
バックル部１５１はベルト部１４０の一端側（右手側）に取り付けられ、バックル部１５２はベルト部１４０の他端側（左手側）に取り付けられている。ベルト部１４０は、バックル部１５１，１５２が相互に嵌合した状態で、長手方向における長さが自動または手動で調節されるように構成されているとよい。当該調節により、バックル部１５１，１５２が相互に嵌合した後、ベルト部１４０は被験者の胴部周りに締結されることができる。電子式巻尺等の胴部情報検出部によって、ベルト部１４０が被験者の胴部周りに締結された後、装着用ベルト１００Ａは被験者の胴部の周囲長を測定する。
【００７３】
バックル部１５１は透光窓部１５３を有し、バックル部１５２は透光窓部１５４を有している。ベルト部１４０が被験者の胴部周りに締結された後、ベルト部１４０の外側から透光窓部１５３，１５４を通して被験者の臍位置を視認可能となっている。透光窓部１５３，１５４の表面には所定の目印（図示せず）が付されている。当該目印と被験者の臍位置とが一致するように、ベルト部１４０が位置決めされた状態で被験者に締結されることが企図されている。
【００７４】
電極支持体１２０は、その両端部が前方に位置するとともにその中央部が後方に位置するように曲成された湾曲板にて構成されている。電極支持体１２０の前面１２１には、上述した背部用電極ＢＵ１〜ＢＵ４，ＢＬ１〜ＢＬ４が露出するように設けられている。背部用電極ＢＵ１〜ＢＵ４，ＢＬ１〜ＢＬ４は、電極支持体１２０の前面１２１から僅かに突出しているとよい。
【００７５】
電極支持体１２０は、背部用電極ＢＵ１〜ＢＵ４，ＢＬ１〜ＢＬ４の被験者の背部表面に対する接触面が前方を向くように、ベルト部１４０の内側の表面に位置決めして取付けられている。ベルト部１４０が被験者の胴部周りに締結されることによって、ベルト部１４０は、被験者の背部表面に背部用電極ＢＵ１〜ＢＵ４，ＢＬ１〜ＢＬ４を押圧した状態で接触させる。
【００７６】
図４（Ａ）は、上肢用ユニット３００Ａの背面側を示す斜視図である。図３および図４（Ａ）を参照して、上肢用ユニット３００Ａは、全体としてＴ字状の形状を有しており、箱状の本体部３４０と、被験者の右手に把持されるための把持部としての右手用グリップ部３１０と、被験者の左手に把持されるための把持部としての左手用グリップ部３２０とから構成されている。
【００７７】
右手用グリップ部３１０には、手用電極ＨＲが露出して設けられている。左手用グリップ部３２０には、手用電極ＨＬが露出して設けられている。本体部３４０の背面には、第２係合部材としての逆Ｌ字状の垂設部材３６０が垂れ下がるように設けられている。垂設部材３６０は、上述の開口部１４１に挿入可能な平板状の形状を有している。垂設部材３６０の形状は、上記の開口部１４１に挿入可能なように所定の長さを有していれば、平板状に限られず、棒状等であってもよい。
【００７８】
他の例として、図４（Ｂ）に示す上肢用ユニット３００Ａａのように、垂設部材３６０が平板状に構成されている場合、垂設部材３６０の先端側（開口部１４１に挿入される側）の形状は、テーパー状であるとよい。装着用ベルト１００Ａに対する上肢用ユニット３００Ａａの取り付けおよび取り外しが容易になる。
【００７９】
さらに他の例として、図４（Ｃ）に示す上肢用ユニット３００Ａａのように、垂設部材３６０が平板状に構成されている場合、垂設部材３６０の先端側（開口部１４１に挿入される側）には、突起３６０ａが設けられていてもよい。装着用ベルト１００Ａに対して上肢用ユニット３００Ａｂを取り付けた際、突起３６０ａによって上肢用ユニット３００Ａｂが脱落することを抑制することが可能となる。
【００８０】
本体部３４０の前面側（図３参照）には、被験者情報入力部２５、表示部２６、および操作部２７がそれぞれ位置決めされて設けられている。表示部２６は、体組成情報算出部１４（図２参照）において算出された体組成情報を表示する。被験者からの指令を受け付けるための操作部２７は、図３に示すように好ましくは手用電極ＨＲに隣接する位置を含むように設けられる。測定の際に被験者が手指を移動させる必要がなくなるため、操作性が向上する。
【００８１】
下肢用ユニット２００は、箱状の台部２１０から構成されている。台部２１０の上面２１１の所定位置に、上述した足用電極ＦＲ，ＦＬがそれぞれ露出して設けられている。被験者は、上面２１１に乗ることが可能となっている。
【００８２】
下肢用ユニット２００は体重測定機能を有していてもよい。下肢用ユニット２００に荷重を検出する体重測定部としてのロードセル等を設けることにより、下肢用ユニット２００に乗った被験者の体重を当該体重測定部にて測定可能となる。下肢用ユニット２００に設けた体重測定部にて測定された体重情報が制御部１０に入力されるように構成すれば、実測した被験者の体重を被験者情報として各種の演算処理に利用することが可能になる。
【００８３】
接続ケーブル２２０の一端は下肢用ユニット２００に接続されている。接続ケーブル２２０の他端は装着用ベルト１００Ａにおける背部用電極ＢＵ１〜ＢＵ４，ＢＬ１〜ＢＬ４に接続されている。
【００８４】
接続ケーブル２２２の一端は上肢用ユニット３００Ａに接続されている。接続ケーブル２２２の他端は装着用ベルト１００Ａにおけるバックル部１５１に接続されている。接続ケーブル２２２の他端は、バックル部１５１からベルト部１４０に内蔵された他の接続ケーブル（図示せず）によって、背部用電極ＢＵ１〜ＢＵ４，ＢＬ１〜ＢＬ４に電気的に接続されている。これにより、上肢用ユニット３００Ａ、装着用ベルト１００Ａにおける背部用電極ＢＵ１〜ＢＵ４，ＢＬ１〜ＢＬ４、および下肢用ユニット２００は、電気的に有線接続されている。
【００８５】
接続ケーブル２２０は、下肢用ユニット２００に内蔵されたリール体（図示せず）に巻き取られるように構成されていてもよい。接続ケーブル２２２も、バックル部１５１に内蔵されたリール体（図示せず）に巻き取られるように構成されていてもよい。
【００８６】
図２に示した制御部１０、定電流生成部２１、端子切替部２２、電位差検出部２３、およびメモリ部２９等は、下肢用ユニット２００の内部に設けられてもよいし、上肢用ユニット３００Ａの内部に設けられていてもよい。被験者情報入力部２５、表示部２６および操作部２７は、下肢用ユニット２００に設けられていてもよい。
【００８７】
（装着用ベルト１００Ａの被験者への装着）
図５は、被験者が装着用ベルト１００Ａを装着する前の様子を示している。図６は、被験者が装着用ベルト１００Ａを装着した後の様子を示している。図５および図６を参照して、体脂肪測定装置１Ａを用いて体脂肪量等の測定を行なう場合に被験者がとるべき手順について説明する。
【００８８】
図５に示すように、被験者４００は、最初に、上肢用ユニット３００Ａの垂設部材３６０を、装着用ベルト１００Ａの開口部１４１に挿入する。垂設部材３６０が開口部１４１に対して係合することにより、上肢用ユニット３００Ａは装着用ベルト１００Ａに取り付けられた状態となる。
【００８９】
被験者４００は、上肢用ユニット３００Ａが取り付けられた装着用ベルト１００Ａを手に取り、下肢用ユニット２００の上に乗る。右足４０１の足の裏が足用電極ＦＲに接触し、左足４０２の足の裏が足用電極ＦＬに接触する。
【００９０】
被験者４００は、ベルト部１４０が胴部を取り囲むように装着用ベルト１００Ａを配置する。被験者４００は、バックル部１５１，１５２を相互に嵌合させる。被験者４００は、自身の臍位置と透光窓部１５３，１５４（図３参照）に設けられた所定の目印（図示せず）とが一致するように、ベルト部１４０の周方向の位置を合わせる。被験者４００は、バックル部１５１，１５２を相互に嵌合させた後、体脂肪測定装置１Ａの下肢用ユニット２００上に乗ってもよい。
【００９１】
図６に示すように、被験者４００は、上肢用ユニット３００Ａを装着用ベルト１００Ａから取り外す。被験者４００は、適宜のタイミングで電源ボタン（図示せず）を投入する。被験者４００は、右手４０３にて右手用グリップ部３１０（図３参照）を把持するとともに、左手４０４にて左手用グリップ部３２０（図３参照）を把持する。右手４０３の掌が手用電極ＨＲ（図３参照）に接触し、左手４０４の掌が手用電極ＨＬ（図３参照）に接触する。
【００９２】
被験者４００は、右手４０３（右腕）および左手４０４（左腕）が、胴部４０５と略直角をなすような姿勢をとる。バックル部１５１の内部に接続ケーブル２２２を巻き取ることが可能なリール体が設けられている場合、接続ケーブル２２２は、上肢用ユニット３００Ａが前方に向かって引っぱられることにより、バックル部１５１から引き出される。
【００９３】
被験者４００は、右手４０３の親指で操作部２７（図３参照）を押下する。ベルト部１４０の長さが自動で調節されるように構成されている場合、操作部２７の押下によって必要に応じてベルト部１４０の長さが伸縮される。ベルト部１４０の長さが手動で調節されるように構成されている場合、被験者が自身の臍位置と透光窓部１５３，１５４に設けられた所定の目印とを一致させる段階で、被験者が必要に応じてベルト部１４０の長さを伸縮させるとよい。
【００９４】
ベルト部１４０が被験者の胴部周りに適切に締結された後、電子式巻尺等の胴部情報検出部によって、被験者４００の胴部周囲長が測定される。胴部周囲長については、上述のとおり、被験者情報入力部２５を介して被験者によって直接入力されてもよい。
【００９５】
図７は、体脂肪測定装置１Ａの制御部１０（図２参照）の処理を示すフロー図である。図２および図７を参照して、制御部１０において実行される一連の処理について順に説明する。当該処理は、予めプログラムとしてメモリ部２９に格納されている。演算処理部１１を含む制御部１０がこのプログラムを読み出して実行することにより、内臓脂肪断面積の測定処理や、皮下脂肪断面積の測定処理が制御部１０によって実現される。
【００９６】
図７に示すように、制御部１０は、まず被験者情報の入力を受け付ける（ステップＳ１）。被験者情報は、たとえばメモリ部２９に一時的に保存される。制御部１０は、測定開始の指示があったか否かを判断する（ステップＳ２）。制御部１０は、測定開始の指示があるまで待機し（ステップＳ２においてＮＯ）、測定開始の指示を検知した場合に（ステップＳ２においてＹＥＳ）、次の処理に移行する。測定開始の指示は、被験者による操作部２７の押下による。
【００９７】
制御部１０は、胴部情報検出部２４から入力された信号に基づいて被験者の胴部の周囲長を取得する（ステップＳ３）。胴部の周囲長は、一時的にメモリ部２９に保存される。制御部１０は、端子切替部２２に対して電極の切替えを行なうように指令を出力する（ステップＳ４）。端子切替部２２は、複数の電極ＨＲ，ＨＬ，ＢＵ１〜ＢＵ４，ＢＬ１〜ＢＬ４，ＦＲ，ＦＬのそれぞれを、図１（Ａ）に示した各電極の如くに設定する。
【００９８】
制御部１０は、定電流生成部２１に対して定電流を生成するように指令を出力する（ステップＳ５）。定電流生成部２１は、図１（Ａ）に示した定電流印加電極間に生成した定電流ＩAを印加する。制御部１０は、電位差検出部２３に対して電位差を検出するように指令を出力する（ステップＳ６）。電位差検出部２３は、図１（Ａ）に示した電位差検出電極間の電位差ＶA1，ＶA2，ＶA3，ＶA4を検出し、これを生体インピーダンス測定部１２に対して出力する。
【００９９】
制御部１０は、電位差検出部２３から入力された信号に基づいて生体インピーダンス測定部１２において生体インピーダンスＺｔを算出する（ステップＳ７）。生体インピーダンスＺｔは、メモリ部２９に一時的に保存される。制御部１０は、端子切替部２２に対して電極の切替えを行なうように指令を出力する（ステップＳ８）。端子切替部２２は、複数の電極ＨＲ，ＨＬ，ＢＵ１〜ＢＵ４，ＢＬ１〜ＢＬ４，ＦＲ，ＦＬのそれぞれを、図１（Ｂ）に示した各電極の如くに設定する。
【０１００】
制御部１０は、定電流生成部２１に対して定電流を生成するように指令を出力する（ステップＳ９）。定電流生成部２１は、図１（Ｂ）に示した定電流印加電極間に生成した定電流ＩB1，ＩB2をそれぞれ印加する。制御部１０は、電位差検出部２３に対して電位差を検出するように指令を出力する（ステップＳ１０）。電位差検出部２３は、図１（Ｂ）に示した電位差検出電極間の電位差ＶB1，ＶB2を検出し、これを生体インピーダンス測定部１２に対して出力する。制御部１０は、電位差検出部２３から入力された信号に基づいて生体インピーダンス測定部１２において生体インピーダンスＺｓを算出する（ステップＳ１１）。
【０１０１】
生体インピーダンスＺｓは、メモリ部２９に一時的に保存される。制御部１０は、ステップＳ３で検出された胴部の周囲長ｔと、ステップＳ７で算出された生体インピーダンスＺｔと、ステップＳ１１で算出された生体インピーダンスＺｓとに基づいて、内臓脂肪量算出部１４ａにおいて内臓脂肪量としての内臓脂肪断面積Ｓｘを算出し、皮下脂肪量算出部１４ｂにおいて皮下脂肪量としての皮下脂肪断面積Ｓｂを算出する（ステップＳ１２）。内臓脂肪断面積Ｓｘおよび皮下脂肪断面積Ｓｂは、メモリ部２９に一時的に保存される。
【０１０２】
制御部１０は、表示部２６に対して内臓脂肪断面積Ｓｘおよび皮下脂肪断面積Ｓｂを表示するように指令を出力する（ステップＳ１３）。これに基づいて表示部２６は、当該測定結果を表示する。以上により、体脂肪測定装置１Ａは、内臓脂肪断面積の測定処理および皮下脂肪断面積の測定処理を終了する。生体インピーダンスＺｔの典型的な値は約５Ω程度であり、生体インピーダンスＺｓの典型的な値は約８０Ω程度である。
【０１０３】
（作用・効果）
装着用ベルト１００Ａに設けられた開口部１４１と、上肢用ユニット３００Ａに設けられた垂設部材３６０とによって、上肢用ユニット３００Ａは装着用ベルト１００Ａに取り付けられることが可能となっている。被験者４００は、上肢用ユニット３００Ａが取り付けられた装着用ベルト１００Ａを手に取り、下肢用ユニット２００上に乗る。被験者４００は、装着用ベルト１００Ａを胴部周りに装着した後、立位の姿勢を維持したまま装着用ベルト１００Ａから上肢用ユニット３００Ａを取り外すことができる。
【０１０４】
体脂肪測定装置１Ａによれば、装着用ベルト１００Ａを胴部周りに装着した後、被験者４００がしゃがんだり若しくはかがんだりすることによって上肢用ユニット３００Ａを拾い上げるといった動作が不要となっている。体脂肪測定装置１Ａによれば、被験者４００は容易に測定準備の姿勢をとることが可能である。
【０１０５】
被験者４００が装着用ベルト１００Ａを装着した状態でしゃがんだり等する必要が無いため、装着用ベルト１００Ａが所望の位置からずれることもない。体脂肪測定装置１Ａによれば、体脂肪の測定を容易に且つ高精度で行なうことが可能である。
【０１０６】
装着用ベルト１００Ａの後部に、背部用電極ＢＵ１〜ＢＵ４，ＢＬ１〜ＢＬ４が露出して設けられている。被験者４００が装着用ベルト１００Ａを装着することによって、背部用電極ＢＵ１〜ＢＵ４，ＢＬ１〜ＢＬ４は、背部表面に押圧された状態で容易に接触配置されることができる。当該接触を安定化させるために、被験者が仰臥姿勢かあるいは伏臥姿勢をとる必要もない。被験者４００は、家庭等においても補助者等の協力を得ずに１人で容易に体脂肪等の測定を行なうことができる。
【０１０７】
体脂肪測定装置１Ａによれば、被験者の背部表面に背部用電極ＢＵ１〜ＢＵ４，ＢＬ１〜ＢＬ４を接触配置させた状態での内臓脂肪量や皮下脂肪量等の体脂肪量の測定が可能である。体脂肪測定装置１Ａによれば、相対的に皮下脂肪の厚みの薄い腹部に電流を局所的に印加するのではなく、相対的に皮下脂肪の厚みの厚い背部に電流を局所的に印加することが可能になり、より高精度に体脂肪量を測定することができる。
【０１０８】
したがって体脂肪測定装置１Ａによれば、家庭等においても容易にかつ高精度に内臓脂肪量および皮下脂肪量等の体脂肪量が測定できる。体脂肪測定装置１Ａを利用することにより、日常的にこれら健康管理のための指標を得ることが可能となる。
【０１０９】
体脂肪測定装置１Ａの装着用ベルト１００Ａにおいては、帯状部材１４２によって開口部１４１が形成されているが、帯状部材１４２を設ける代わりに、ベルト部１４０に対して直接開口部を設けるようにしてもよい。この場合、上肢用ユニット３００Ａの垂設部材３６０は、当該開口に対して挿入可能なように構成される。
【０１１０】
帯状部材１４２および垂設部材３６０を採用する代わりに、第１および第２係合部材として相互に係合可能な面ファスナーを採用してもよく、第１および第２係合部材として相互に接合可能な磁石などを採用してもよい。
【０１１１】
［実施の形態１の第１変形例］
図８を参照して、本変形例について説明する。ここでは、上述の実施の形態１における体脂肪測定装置１Ａとの相違点について説明する。本変形例における装着用ベルト１００Ｂには、第１係合部材としての掛止部材１４４がベルト部１４０に取り付けられている。掛止部材１４４の先端にはフック部１４５が上方向を向くように設けられている。掛止部材１４４は、ベルト部１４０の長手方向に沿って、矢印ＡＲ１に示すように自由に移動可能となっているとよい。
【０１１２】
本変形例における上肢用ユニット３００Ｂには、第２係合部材としての環状の被掛止部材３６２が、本体部３４０の底面側に設けられている。被掛止部材３６２は、本体部３４０の上面側に設けられていてもよい。被掛止部材３６２に設けられた開口部３６３は、掛止部材１４４のフック部１４５に対して係合可能となっている。当該係合によって、上肢用ユニット３００Ｂは、掛止部材１４４から吊り下がるように、装着用ベルト１００Ｂに取り付けられる。
【０１１３】
被験者は、上肢用ユニット３００Ｂが取り付けられた装着用ベルト１００Ｂを手に取り、下肢用ユニット２００（図５参照）の上に乗る。被験者は、装着用ベルト１００Ｂを胴部周りに装着した後、立位の姿勢を維持したまま装着用ベルト１００Ｂから上肢用ユニット３００Ｂを取り外すことができる。
【０１１４】
掛止部材１４４が矢印ＡＲ１に示すように自由に移動可能となっている場合、上肢用ユニット３００Ｂの装着用ベルト１００Ｂに対する取り付け位置が可変となるため、被験者にとっての利便性が向上する。装着用ベルト１００Ｂおよび上肢用ユニット３００Ｂを備えた体脂肪測定装置によっても、容易にかつ高精度に内臓脂肪量および皮下脂肪量等の体脂肪量が測定できる。
【０１１５】
［実施の形態１の第２変形例］
図９を参照して、本変形例について説明する。ここでは、上述の実施の形態１における体脂肪測定装置１Ａとの相違点について説明する。本変形例における装着用ベルト１００Ｃには、第１係合部材としての被掛止部材１４６がベルト部１４０に取り付けられている。被掛止部材１４６の先端には開口部１４７が設けられている。被掛止部材１４６は、ベルト部１４０の長手方向に沿って、矢印ＡＲ２に示すように自由に移動可能となっているとよい。
【０１１６】
本変形例における上肢用ユニット３００Ｃには、第２係合部材としての掛止部材３６４が、本体部３４０の底面側に設けられている。掛止部材３６４は、本体部３４０の上面側に設けられていてもよい。掛止部材３６４の先端に設けられたフック部３６５は、被掛止部材１４６の開口部１４７に対して係合可能となっている。当該係合によって、上肢用ユニット３００Ｃは、被掛止部材１４６から吊り下がるように、装着用ベルト１００Ｃに取り付けられる。
【０１１７】
被験者は、上肢用ユニット３００Ｃが取り付けられた装着用ベルト１００Ｃを手に取り、下肢用ユニット２００（図５参照）の上に乗る。被験者は、装着用ベルト１００Ｃを胴部周りに装着した後、立位の姿勢を維持したまま装着用ベルト１００Ｃから上肢用ユニット３００Ｃを取り外すことができる。
【０１１８】
被掛止部材１４６が矢印ＡＲ２に示すように自由に移動可能となっている場合、上肢用ユニット３００Ｃの装着用ベルト１００Ｃに対する取り付け位置が可変となるため、被験者にとっての利便性が向上する。装着用ベルト１００Ｃおよび上肢用ユニット３００Ｃを備えた体脂肪測定装置によっても、容易にかつ高精度に内臓脂肪量および皮下脂肪量等の体脂肪量が測定できる。
【０１１９】
［実施の形態１の第３変形例］
図１０を参照して、本変形例について説明する。ここでは、上述の実施の形態１における体脂肪測定装置１Ａとの相違点について説明する。本変形例における装着用ベルト１００Ｄには、第１係合部材としての掛止部材１４８がベルト部１４０に取り付けられている。掛止部材１４８の表面にはピン１４９が突出して設けられている。掛止部材１４８は、ベルト部１４０の長手方向に沿って、矢印ＡＲ３に示すように自由に移動可能となっているとよい。
【０１２０】
本変形例における上肢用ユニット３００Ｄには、第２係合部材としての開口部３６６が、本体部３４０の背面側に形成されている。開口部３６６がピン１４９に挿入されることによって、ピン１４９は開口部３６６に対して係合可能となっている。当該係合によって、上肢用ユニット３００Ｄは、掛止部材１４８から吊り下がるように、装着用ベルト１００Ｄに取り付けられる。
【０１２１】
被験者は、上肢用ユニット３００Ｄが取り付けられた装着用ベルト１００Ｄを手に取り、下肢用ユニット２００（図５参照）の上に乗る。被験者は、装着用ベルト１００Ｄを胴部周りに装着した後、立位の姿勢を維持したまま装着用ベルト１００Ｄから上肢用ユニット３００Ｄを取り外すことができる。
【０１２２】
掛止部材１４８が矢印ＡＲ３に示すように自由に移動可能となっている場合、上肢用ユニット３００Ｄの装着用ベルト１００Ｄに対する取り付け位置が可変となるため、被験者にとっての利便性が向上する。装着用ベルト１００Ｄおよび上肢用ユニット３００Ｄを備えた体脂肪測定装置によっても、容易にかつ高精度に内臓脂肪量および皮下脂肪量等の体脂肪量が測定できる。
【０１２３】
［実施の形態２］
図１１を参照して、本実施の形態における体脂肪測定装置１Ｂついて説明する。ここでは、上述の実施の形態１における体脂肪測定装置１Ａとの相違点について説明する。本実施の形態においては、接続ケーブル２２２の一端は上肢用ユニット３００Ａに接続され、接続ケーブル２２２の他端は下肢用ユニット２００に接続されている。
【０１２４】
被験者は、上肢用ユニット３００Ａが取り付けられた装着用ベルト１００Ａを手に取り、下肢用ユニット２００の上に乗る。被験者は、装着用ベルト１００Ａを胴部周りに装着した後、立位の姿勢を維持したまま装着用ベルト１００Ａから上肢用ユニット３００Ａを取り外すことができる。体脂肪測定装置１Ｂによっても、容易にかつ高精度に内臓脂肪量および皮下脂肪量等の体脂肪量が測定できる。
【０１２５】
接続ケーブル２２２は、図１１に示すようないわゆるカール形状に限られず、下肢用ユニット２００に内蔵されたリール体（図示せず）に巻き取られるように構成されていてもよい。
【０１２６】
［実施の形態２の第１変形例］
図１２を参照して、本変形例における体脂肪測定装置１Ｃについて説明する。ここでは、上述の実施の形態２における体脂肪測定装置１Ｂとの相違点について説明する。本変形例においては、接続ケーブル２２０の一端は上肢用ユニット３００Ａに接続され、接続ケーブル２２０の他端は装着用ベルト１００Ａにおける背部用電極ＢＵ１〜ＢＵ４，ＢＬ１〜ＢＬ４に接続されている。
【０１２７】
被験者は、上肢用ユニット３００Ａが取り付けられた装着用ベルト１００Ａを手に取り、下肢用ユニット２００の上に乗る。被験者は、装着用ベルト１００Ａを胴部周りに装着した後、立位の姿勢を維持したまま装着用ベルト１００Ａから上肢用ユニット３００Ａを取り外すことができる。体脂肪測定装置１Ｃによっても、容易にかつ高精度に内臓脂肪量および皮下脂肪量等の体脂肪量が測定できる。
【０１２８】
接続ケーブル２２０は、図１２に示すようないわゆるカール形状に限られず、上肢用ユニット３００Ａに内蔵されたリール体（図示せず）に巻き取られるように構成されていてもよい。
【０１２９】
［実施の形態２の第２変形例］
図１３を参照して、本変形例における体脂肪測定装置１Ｄについて説明する。ここでは、上述の実施の形態１における体脂肪測定装置１Ａとの相違点について説明する。本変形例においては、接続ケーブル２２０の一端にコネクタ２２５が取り付けられている。接続ケーブル２２０の他端にコネクタ２２７が取り付けられている。接続ケーブル２２２の一端にコネクタ２２３が取り付けられている。接続ケーブル２２２の他端にコネクタ２２１が取り付けられている。
【０１３０】
各コネクタ２２１，２２３，２２５，２２７によって、各接続ケーブル２２０，２２２は、上肢用ユニット３００Ａ、装着用ベルト１００Ａにおける背部用電極ＢＵ１〜ＢＵ４，ＢＬ１〜ＢＬ４、装着用ベルト１００Ａにおけるバックル部１５１、および下肢用ユニット２００に対する接続が着脱可能となっている。
【０１３１】
たとえば図１３に示すように、コネクタ２２５によって、接続ケーブル２２０の一端と下肢用ユニット２００とを電気的に有線接続することが可能となっている。コネクタ２２７によって、接続ケーブル２２０の他端と上肢用ユニット３００Ａにおける背部用電極ＢＵ１〜ＢＵ４，ＢＬ１〜ＢＬ４とを電気的に接続することが可能となっている。
【０１３２】
コネクタ２２３によって、接続ケーブル２２２の一端と上肢用ユニット３００Ａとを電気的に接続することが可能となっている。コネクタ２２１によって、接続ケーブル２２２の他端と装着用ベルト１００Ａにおけるバックル部１５１とを電気的に接続することが可能となっている。
【０１３３】
各コネクタ２２１，２２３，２２５，２２７によって、各接続ケーブル２２０，２２２が、上述の実施の形態２の第１変形例における体脂肪測定装置１Ｂ（図１１参照）のように接続されていてもよいし、上述の実施の形態２の第２変形例（図１２参照）における体脂肪測定装置１Ｃのように接続されていてもよい。
【０１３４】
被験者は、上肢用ユニット３００Ａが取り付けられた装着用ベルト１００Ａを手に取り、下肢用ユニット２００の上に乗る。被験者は、装着用ベルト１００Ａを胴部周りに装着した後、立位の姿勢を維持したまま装着用ベルト１００Ａから上肢用ユニット３００Ａを取り外すことができる。体脂肪測定装置１Ｄによっても、容易にかつ高精度に内臓脂肪量および皮下脂肪量等の体脂肪量が測定できる。
【０１３５】
［実施の形態３］
図１４を参照して、本実施の形態における体脂肪測定装置１Ｅについて説明する。体脂肪測定装置１Ｅの測定原理および制御部で実施される演算処理は、上述した実施の形態１における体脂肪測定装置１Ａのそれらと同様である。
【０１３６】
体脂肪測定装置１Ｅは、上述した実施の形態１における体脂肪測定装置１Ａと同様に、装着状態において被験者の胴部を取り囲むように配置することが可能な装着用ベルト１００Ｂを備えている。体脂肪測定装置１Ｂは、上述した実施の形態１における体脂肪測定装置１Ａと異なり、被験者が乗ることが可能な台状の下肢用ユニットを備えておらず、代わりに、装着用ベルト１００Ｂから引き出すことが可能に構成された引き出しユニット部としての電極パッド１２５Ａ，１２５Ｂを有している。
【０１３７】
電極パッド１２５Ａ，１２５Ｂは、略平板状の形状を有しており、当該電極パッド１２５Ａ，１２５Ｂの主面には、それぞれ下肢または臀部の表面に接触させるための下肢臀部用電極としての足臀部用電極ＦＬ′，ＦＲ′が露出して設けられている。電極パッド１２５Ａ，１２５Ｂの上部には、接続ケーブル１２６Ａ，１２６Ｂの一端が接続されており、接続ケーブル１２６Ａ，１２６Ｂの他端は、電極支持体１２０の内部に設けられたリール体（図示せず）に固定されている。
【０１３８】
装着用ベルト１００Ｂにおいては、上記リール体を電極支持体１２０の内部に配置することが可能となるように、電極支持体１２０をブロック状の部材として構成し、これをベルト部１４０の略中央部に取付けることとしている。
【０１３９】
これにより、電極パッド１２５Ａ，１２５Ｂは、いずれも図中に示す矢印Ｄ１，Ｄ２方向に接続線としての接続ケーブル１２６Ａ，１２６Ｂが出し入れされることで装着用ベルト１００Ｂの下方に向けて引き出し可能とされている。接続ケーブル１２６Ａ，１２６Ｂの引き出し量を調節することにより、電極パッド１２５Ａ，１２５Ｂを被験者の下肢または臀部の任意の位置に取付けることが可能とされている。
【０１４０】
体脂肪測定装置１Ｅによっても、上述した実施の形態１において説明した効果と同様の効果を得ることができる。加えて、起立姿勢での測定に加え、着座姿勢での測定も可能になるため、さらに容易に体脂肪量の測定を行なうことができる。体脂肪測定装置１Ｅにあっては、下肢用ユニットを備えていないため、装置構成が簡略化されるとともに、装置を小型化することもできる。
【０１４１】
電極パッド１２５Ａ，１２５Ｂとしては、被験者の身体に吸着固定される構成のものや粘着固定される構成のもの、あるいは何らかの巻き付け部材を用いて巻き付け固定される構成のもの等が使用でき、さらには特に固定されることなく被験者の身体と座面あるいは床面との間で挟み込んで固定されるように構成されたもの等の使用も可能である。
【０１４２】
［実施の形態４］
（体脂肪測定装置１Ｆの測定原理）
図１５（Ａ）は、胴部全体の生体インピーダンスを得る場合の電極配置を示した図であり、図１５（Ｂ）は、胴部のうちの背部側の表層部分の生体インピーダンスを得る場合の電極配置を示した図である。図１５（Ａ）および図１５（Ｂ）においては、被験者をいずれも背中側から見た様子を示している。図１５（Ａ）および図１５（Ｂ）を参照して、本実施の形態における体脂肪測定装置１Ｆ（図１７参照）の測定原理について説明する。
【０１４３】
体脂肪測定装置１Ｆの測定原理も、上述した実施の形態１において説明した測定原理（図２参照）と基本的には同様である。しかしながら、胴部全体の生体インピーダンスを得る際に使用する電極の配置位置が、上述した実施の形態１におけるそれと相違している。図１５（Ａ）に示すように、胴部全体の生体インピーダンスを得るためには、被験者の左手の表面および右手の表面にそれぞれ電極ＥＩａA1，ＥＩａA2が取付けられる。
【０１４４】
被験者の背部表面には、体軸方向に沿って並ぶように配置された一対の電極が、胴部の横幅方向に沿って４組取付けられるとともに、当該４組の電極対が接触配置された背部表面よりもさらに臀部寄りの背部表面に、胴部の横幅方向に並ぶように４個の電極が取付けられる。被験者の背部表面には、図示するように、電極ＥＶａA1，ＥＶｂA1，ＥＶａA2，ＥＶｂA2，ＥＶａA3，ＥＶｂA3，ＥＶａA4，ＥＶｂA4，ＥＩｂA1，ＥＩｂA2，ＥＩｂA3，ＥＩｂA4の合計１２個の電極が取付けられる。
【０１４５】
この状態において、電極ＥＩａA1，ＥＩａA2，ＥＩｂA1，ＥＩｂA2，ＥＩｂA3，ＥＩｂA4を用いて、胴部を通る定電流ＩAが被験者に印加される。定電流ＩAが印加された状態において、電極ＥＶａA1，ＥＶｂA1を用いて電位差ＶA1が検出され、電極ＥＶａA2，ＥＶｂA2を用いて電位差ＶA2が検出され、電極ＥＶａA3，ＥＶｂA3を用いて電位差ＶA3が検出され、電極ＥＶａA4，ＥＶｂA4を用いて電位差ＶA4が検出される。
【０１４６】
電位差ＶA1，ＶA2，ＶA3，ＶA4から、胴部全体の生体インピーダンスＺｔが算出される。なお、胴部のうちの背部側の表層部分の生体インピーダンスＺｓを得るための電極配置、定電流の印加状態および電位差の検出状態は、図１５（Ｂ）に示すように、いずれも上述した実施の形態１におけるそれらと同様である。
【０１４７】
（体脂肪測定装置１Ｆの機能ブロック）
図１６は、本実施の形態における体脂肪測定装置１Ｆの機能ブロックの構成を示す図である。図１６を参照して、体脂肪測定装置１Ｆの機能ブロックの構成について説明する。
【０１４８】
体脂肪測定装置１Ｆは、上述した実施の形態１における体脂肪測定装置１Ａと近似の構成を有しているが、端子切替部２２に接続される複数の電極の構成において若干相違する。体脂肪測定装置１Ｆは、複数の電極として電極ＨＲ，ＨＬ，ＢＵ１〜ＢＵ４，ＢＬ１〜ＢＬ４，ＢＡ１〜ＢＡ４を備えている。
【０１４９】
上述した複数の電極は、被験者の上肢の表面に接触配置される上肢用電極としての手用電極ＨＲ，ＨＬと、被験者の背部表面に接触配置される背部用電極ＢＵ１〜ＢＵ４，ＢＬ１〜ＢＬ４，ＢＡ１〜ＢＡ４とを含んでいる。このうち、手用電極ＨＲ，ＨＬは、被験者の掌に接触配置される。背部用電極ＢＵ１〜ＢＵ４，ＢＬ１〜ＢＬ４，ＢＡ１〜ＢＡ４は、図１５（Ａ）および図１５（Ｂ）に示したように、被験者の背部表面に整列した状態で接触配置される。手用電極ＨＲ，ＨＬおよび背部用電極ＢＵ１〜ＢＵ４，ＢＬ１〜ＢＬ４，ＢＡ１〜ＢＡ４は、いずれも上述した端子切替部２２に電気的に接続されている。
【０１５０】
（体脂肪測定装置１Ｆの構造）
図１７は、本実施の形態における体脂肪測定装置１Ｆを示す斜視図である。体脂肪測定装置１Ｆは、上述した本発明の実施の形態１における体脂肪測定装置１Ａと同様に、装着状態において被験者の胴部を取り囲むことが可能な装着用ベルト１００Ｃを備えている。しかしながら、体脂肪測定装置１Ｃは、上述した本発明の実施の形態１における体脂肪測定装置１Ａと異なり、被験者が乗ることが可能な台状の下肢用ユニットを備えていない。体脂肪測定装置１Ｃにあっては、電極支持体１２０に背部用電極ＢＡ１〜ＢＡ４がさらに追加されている。
【０１５１】
具体的には、曲成された湾曲板からなる電極支持体１２０が、上記した実施の形態１におけるそれよりも下方に向けてさらに延長され、当該延長された部分の電極支持体１２０の前面１２１に背部用電極ＢＡ１〜ＢＡ４が設けられている。背部用電極ＢＡ１〜ＢＡ４は、いずれも電極支持体１２０の前面１２１において露出するように設けられている。背部用電極ＢＡ１〜ＢＡ４は、電極支持体１２０の前面１２１から僅かに突出しているとよい。これにより、背部用電極ＢＡ１〜ＢＡ４は、背部用電極ＢＵ１〜ＢＵ４，ＢＬ１〜ＢＬ４と同様に、装着状態において被験者の背部表面に接触配置されることになる。
【０１５２】
体脂肪測定装置１Ｆによっても、上述した本発明の実施の形態１において説明した効果と同様の効果を得ることができる。加えて、起立姿勢での測定に加え、着座姿勢での測定も可能になるため、さらに容易に体脂肪量の測定を行なうことができる。体脂肪測定装置１Ｆにあっては、下肢用ユニットを備えていないため、装置構成が簡略化されるとともに、装置を小型化することもできる。
【０１５３】
以上、本発明に基づいた各実施の形態における体脂肪測定装置について説明したが、今回開示された各実施の形態はすべての点で例示であって制限的なものではないと考えられるべきである。
【０１５４】
上述した実施の形態１ないし４およびこれらの変形例においては、内臓脂肪量として内臓脂肪断面積が算出されるとともに、皮下脂肪量として皮下脂肪断面積が算出されるように演算処理を構成した場合を例示して説明したが、内臓脂肪量が、内臓脂肪断面積以外の指標である内臓脂肪体積、内臓脂肪重量、内臓脂肪レベル等にて算出されるとともに、皮下脂肪量が、皮下脂肪断面積以外の指標である皮下脂肪体積、皮下脂肪重量、皮下脂肪レベル等にて算出されるように演算処理を構成してもよい。
【０１５５】
上述した実施の形態１ないし４およびこれらの変形例においては、内臓脂肪断面積および皮下脂肪断面積のいずれもが算出されて表示されるように構成した場合を例示して説明を行なったが、これらのいずれかのみが表示されるように構成してもよいし、皮下脂肪断面積のみが算出されて表示されるように構成してもよい。さらには、内臓脂肪断面積および皮下脂肪断面積以外の各種体組成情報（たとえば体脂肪量や部位別脂肪量、除脂肪量等）を算出してこれを表示するように構成してもよい。
【０１５６】
このように、今回開示した上記各実施の形態およびその変形例はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【０１５７】
１Ａ〜１Ｆ  体脂肪測定装置、１０  制御部、１１  演算処理部、１２  生体インピーダンス測定部、１３  体形情報測定部、１４  体組成情報算出部、１４ａ  内臓脂肪量算出部、１４ｂ  皮下脂肪量算出部、２１  定電流生成部、２２  端子切替部、２３  電位差検出部、２４  胴部情報検出部、２５  被験者情報入力部、２６  表示部、２７  操作部、２８  電源部、２９  メモリ部、１００Ａ〜１００Ｄ  装着用ベルト、１２０  電極支持体、１２１  前面、１２５Ａ，１２５Ｂ  電極パッド、１２６Ａ，１２６Ｂ，２２０，２２２  接続ケーブル、１４０  ベルト部、１４１，１４７，３６３，３６６  開口部、１４２  帯状部材、１４４，１４８，３６４  掛止部材、１４５，３６５  フック部、１４６，３６２  被掛止部材、１４９  ピン、１５１，１５２  バックル部、１５３，１５４  透光窓部、２００  下肢用ユニット、２１０  台部、２１１  上面、２２１，２２３，２２５，２２７  コネクタ、３００Ａ〜３００Ｄ，３００Ａａ，３００Ａｂ  上肢用ユニット、３１０  右手用グリップ部、３２０  左手用グリップ部、３４０  本体部、３６０  垂設部材、３６０ａ  突起、４００  被験者、４０１  右足、４０２  左足、４０３  右手、４０４  左手、４０５  胴部、ＡＲ１〜ＡＲ３，Ｄ１，Ｄ２  矢印、ＢＡ１〜ＢＡ４，ＢＬ１〜ＢＬ４，ＢＵ１〜ＢＵ４  背部用電極、ＦＲ，ＦＬ  足用電極、ＦＬ′，ＦＲ′  足臀部用電極、ＨＲ，ＨＬ  手用電極、Ｓ１〜Ｓ１３  ステップ。
【図１】
0005601065.tif 000002
【図２】
0005601065.tif 000003
【図３】
0005601065.tif 000004
【図４】
0005601065.tif 000005
【図５】
0005601065.tif 000006
【図６】
0005601065.tif 000007
【図７】
0005601065.tif 000008
【図８】
0005601065.tif 000009
【図９】
0005601065.tif 000010
【図１０】
0005601065.tif 000011
【図１１】
0005601065.tif 000012
【図１２】
0005601065.tif 000013
【図１３】
0005601065.tif 000014
【図１４】
0005601065.tif 000015
【図１５】
0005601065.tif 000016
【図１６】
0005601065.tif 000017
【図１７】
0005601065.tif 000018